(57)【要約】  複数のユーザ間における音声サウンドの無線共有のためのシステム及び方法が開示される。本発明のユーザは，自身の音声サウンドを他のユーザに伝達することができ，該他のユーザは，該音声サウンドを無線で受信し，再ブロードキャストすることを選択することができる。こうして，音声サウンド共有ネットワークを，ネットワークの参加者の間でいつでもどこでも容易に構築することができる。【選択図】図５
2010517364.tif 000002
【特許請求の範囲】
【請求項１】
可聴体験を共有するためのシステムであって，
該システムは，第１のヘッドホンを含み，
該第１のヘッドホンは，
複数のスピーカーと，
無線送受信機と，
第１の符号化音声信号の第２のヘッドホンへの送信を制御するように構成される該無線送受信機のための第１の制御システムと，
を含み，
該第２のヘッドホンは，第２の無線送受信機と，前記第１の音声信号に対応した音声再生を生成するように構成される第２の制御システムと，を含み，
該第１のヘッドホン及び該第２のヘッドホンは，クローズドネットワークの一部である，
システム。
【請求項２】
前記第２のヘッドホンは，ユーザからの入力を受信するユーザインタフェースを含む，請求項１に記載のシステム。
【請求項３】
前記ユーザインタフェースは，前記第１のヘッドホンから受信した前記第１の音声信号を再生することを選択する設定を含む，請求項３に記載のシステム。
【請求項４】
前記ユーザインタフェースは，前記第１の音声信号を再送信することを選択する設定を含む，請求項３に記載のシステム。
【請求項５】
前記音声信号の前記再送信は，前記ユーザインタフェースを用いて選択される指定チャネル上で行われる，請求項４に記載のシステム。
【請求項６】
前記第２の制御システムは，前記第１の音声信号の受信と同時に第２の音声信号を第３のヘッドホンへ送信するように構成される，請求項１に記載のシステム。
【請求項７】
前記第２の制御システムは，前記第１の音声信号への前記音声再生を生成すると同時に，前記第２の音声信号を前記第３のヘッドホンへ送信する，請求項６に記載のシステム。
【請求項８】
前記送信は，複数のディスクリートチャネルの一つの上で行われる，請求項１に記載のシステム。
【請求項９】
前記複数のディスクリートチャネルの一つは，自動的に選択される，請求項８に記載のシステム。
【請求項１０】
前記自動選択は，ハンティングにより行われる，請求項９に記載のシステム。
【請求項１１】
前記自動選択は，周波数ホッピングにより行われる，請求項９に記載のシステム。
【請求項１２】
前記複数のディスクリートチャネルの一つは，手動で選択される，請求項８に記載のシステム。
【請求項１３】
前記手動選択は，数字で示される，請求項１２に記載のシステム。
【請求項１４】
前記手動選択は，色で示される，請求項１２に記載のシステム。
【請求項１５】
前記複数のディスクリートチャネルの一つは，視覚キューで示される，請求項８に記載のシステム。
【請求項１６】
前記複数のディスクリートチャネルの一つは，可聴キューで示される，請求項８に記載のシステム。
【請求項１７】
第１の無線送受信機と，専用音声信号の受信，送信，及び再生を制御するように構成される該第１の無線送受信機のための第１の制御システムと，を含む第１の再生システムと，
第２の無線送受信機と，専用音声信号の受信，送信，及び再生を制御するように構成される該第２の無線送受信機のための第２の制御システムと，を含む第２の再生システムと，
を含む音声共有ネットワーク。
【請求項１８】
前記第２の制御システムは，ユーザが前記専用音声信号を第３の再生システムに再ブロードキャストするのを可能にするように構成される，請求項１７に記載のネットワーク。
【請求項１９】
前記第２の制御システムは，前記専用音声信号を復号するように構成される，請求項１９に記載のネットワーク。
【請求項２０】
前記第１の制御システムは，前記専用音声信号を送信前に暗号化し，それにより，暗号化音声信号を生成するように構成される，請求項１８に記載のネットワーク。
【請求項２１】
装置周辺装置であって，
該装置周辺装置は，
制御装置と，
信号動作を実行するための該制御装置により制御可能な送受信機であって，該信号動作は，受信信号の受信，送信信号の送信，及び受信信号の受信と送信信号の送信の同時実行の一つである，送受信機と，
前記制御装置を装置と通信させるための該装置に連結可能な装置インタフェースであって，該制御装置は，該装置インタフェースを介して通信動作を実行するためのものであり，該通信動作は，第１のメディアデータの該装置への送信，第２のメディアデータの該装置からの受信，及び該第１のメディアデータの該装置からの受信と該第２のメディアデータの該装置への送信の同時実行の一つである，装置インタフェースと，
を含み，
該制御装置は，該信号動作及び該通信動作の同時実行及び個別実行の一つを実行可能であり，該受信信号は，第３のメディアデータ及び該第１のメディアデータの一つを伝送し，また，それらに変換可能であり，該送信信号は，該第１のメディアデータ，該第２のメディアデータ，該第３のメディアデータ，及び第４のメディアデータの一つを伝送し，また，それらから変換される，
装置周辺装置。
【請求項２２】
前記第１，第２，第３，及び第４のメディアデータの各々は，テキストデータ，映像データ，画像データ，及び音声データの少なくとも一つを含む，請求項２１に記載の装置周辺装置。
【請求項２３】
前記第３及び第１のメディアデータの一つは，受信信号から復号される，請求項２１に記載の装置周辺装置。
【請求項２４】
前記第１，第２，第３，及び第４のメディアデータの少なくとも一つは，送信信号として送信される前に符号化される，請求項２１に記載の装置周辺装置。
【請求項２５】
第２のメディアデータは，前記第１のメディアデータに由来する，請求項２１に記載の装置周辺装置。
【請求項２６】
ユーザが前記信号動作及び通信動作の少なくとも一つを制御することができるユーザインタフェースをさらに含む，請求項２１に記載の装置周辺装置。
【請求項２７】
前記ユーザインタフェースは，さらに，前記信号動作及び前記通信動作の同時実行及び個別実行の一つを選択することができる，請求項２６に記載の装置周辺装置。
【請求項２８】
送信信号の送信及び受信信号の受信は，複数のディスクリートチャネルの一つの上で行われる，請求項２１に記載の装置周辺装置。
【請求項２９】
前記複数のディスクリートチャネルの一つは，自動的に選択される，請求項２８に記載の装置周辺装置。
【請求項３０】
前記自動選択は，ハンティングにより行われる，請求項２９に記載の装置周辺装置。
【請求項３１】
前記自動選択は，周波数ホッピングにより行われる，請求項２９に記載の装置周辺装置。
【請求項３２】
前記複数のディスクリートチャネルの一つは，手動で選択される，請求項２８に記載の装置周辺装置。
【請求項３３】
前記手動選択を示す数字を表示するためのディスプレイをさらに含む，請求項３２に記載の装置周辺装置。
【請求項３４】
前記手動選択を示す色を表示するためのディスプレイをさらに含む，請求項３２に記載の装置周辺装置。
【請求項３５】
前記複数のディスクリートチャネルの一つは，視覚キューで示される，請求項２８に記載の装置周辺装置。
【請求項３６】
前記複数のディスクリートチャネルの一つは，可聴キューで示される，請求項２８に記載の装置周辺装置。
【請求項３７】
前記装置は，前記第１のメディアデータ及び前記第２のメディアデータの少なくとも一つの再生用の再生モジュールを含む，請求項２１に記載の装置周辺装置。
【請求項３８】
前記装置は，ヘッドホン，メディア装置，及び無線通信装置の少なくとも一つである，請求項２１に記載の装置周辺装置。
【請求項３９】
前記装置周辺装置は，ドングルである，請求項２１に記載の装置周辺装置。
【請求項４０】
装置であって，
該装置は，
制御装置と，
信号動作を実行するための該制御装置により制御可能な送受信機であって，該信号動作は，受信信号の受信，送信信号の送信，及び受信信号の受信と送信信号の送信の同時実行の一つである，送受信機と，
再生モジュールと，
該制御装置を該再生モジュールと通信させるためのデータインタフェースであって，該制御装置は，該データインタフェースを介して通信動作を実行するためのものであり，該通信動作は，第１のメディアデータの少なくとも一つの他の装置への送信，第２のメディアデータの該少なくとも一つの他の装置からの受信，及び第１のメディアデータの該装置からの受信と第２のメディアデータの該装置への送信の同時実行の一つであり，該再生モジュールは，該第１のメディアデータ及び該第２のメディアデータの一つを再生することができる，データインタフェースと，
を含み，
該制御装置は，該信号動作及び該通信動作の同時実行及び個別実行の一つを実行可能であり，該受信信号は，第３のメディアデータ及び該第１のメディアデータの一つを伝送し，また，それらに変換可能であり，該送信信号は，該第１のメディアデータ，該第２のメディアデータ，該第３のメディアデータ，及び第４のメディアデータの一つを伝送し，また，それらから変換される，
装置。
【請求項４１】
前記第１，第２，第３，及び第４のメディアデータの各々は，テキストデータ，映像データ，画像データ，及び音声データの少なくとも１つを含む，請求項４０に記載の装置。
【請求項４２】
前記第３及び第１のメディアデータの１つは，前記受信信号から復号される，請求項４０に記載の装置。
【請求項４３】
前記第１，第２，第３，及び第４のメディアデータの少なくとも１つは，前記送信信号として送信される前に符号化される，請求項４０に記載の装置。
【請求項４４】
第２のメディアデータは，前記第１のメディアデータに由来する，請求項４０に記載の装置。
【請求項４５】
ユーザが前記信号動作及び前記通信動作の少なくとも一つを制御することができるユーザインタフェースをさらに含む，請求項４０に記載の装置。
【請求項４６】
前記ユーザインタフェースは，さらに，前記信号動作及び前記通信動作の同時実行及び個別実行の一つを選択することができる，請求項４５に記載の装置。
【請求項４７】
送信信号の送信及び受信信号の受信は，複数のディスクリートチャネルの一つの上で行われる，請求項４０に記載の装置。
【請求項４８】
前記複数のディスクリートチャネルの一つは，自動的に選択される，請求項４７に記載の装置。
【請求項４９】
前記自動選択は，ハンティングにより行われる，請求項４８に記載の装置。
【請求項５０】
前記自動選択は，周波数ホッピングにより行われる，請求項４８に記載の装置。
【請求項５１】
前記複数のディスクリートチャネルの一つは，手動で選択される，請求項４７に記載の装置。
【請求項５２】
前記手動選択を示す数字を表示するためのディスプレイをさらに含む，請求項４１に記載の装置。
【請求項５３】
前記手動選択を示す色を表示するためのディスプレイをさらに含む，請求項４１に記載の装置。
【請求項５４】
前記複数のディスクリートチャネルの一つは，視覚キューで示される，請求項４７に記載の装置。
【請求項５５】
前記複数のディスクリートチャネルの一つは，可聴キューで示される，請求項４７に記載の装置。
【請求項５６】
前記装置は，ヘッドホン，メディア装置，及び無線通信装置の少なくとも一つである，請求項４０に記載の装置。
【発明の詳細な説明】
【技術分野】
【０００１】
本発明は，一般に，無線通信の分野に関し，特に，装置間における音声の無線通信に関する。
【背景技術】
【０００２】
従来技術による多数のメディア装置は，ＦＭ放送，ＡＭ放送や衛星放送などの発信源から無線放送を受信することができる。ヘッドホンに関しては，ワイヤレスヘッドホンは，赤外線送信技術，２５ＭＨｚ無線や２．４ＧＨｚ無線通信技術（ブルートゥースなど）などのさまざまな方法を用いてメディア装置から音楽を受信する。
【０００３】
メディア装置は，音楽ファイル及び／又は映像ファイルなどのメディアファイルを，上記と同様の方法を用いて，他の同様のメディア装置間で無線で転送することができる。このようなファイルの転送は，通常，一つの記憶媒体から他の記憶媒体へなされる。
【０００４】
上記の利点にもかかわらず，ワイヤーヘッドホン及び／又はイヤホンは，制限を受ける。このようなシステムの中には，１ユーザが１台のワイヤーヘッドホン又はイヤホンを第三者に手渡すことにより音楽体験を共有するのを可能にするものもある。しかしながら，この共有体験は，第三者が音楽のフルステレオ体験を体験するのを可能にしない。２台のワイヤーヘッドホンを同じメディア装置に接続するためのヘッドホンアダプタージャックがあるが，これもまた，両ユーザが同じメディア装置の近くに拘束されることを余儀なくされる。
【０００５】
一つの記憶媒体から他の記憶媒体へのメディアファイルの転送による共有音楽は，第三者の知的財産権を侵害する場合が多い。
【０００６】
従来技術によるワイヤレスヘッドホンは，ユーザが同じメディア装置（ＭＰ３プレーヤーなど）からの音楽を共有することを可能にしない。ワイヤレスヘッドホンはまた，無線送信機の範囲に限定され，ワイヤレスヘッドホンを使用するユーザは，発信源からあまり離れることはできない。また，ブルートゥースなどの一般的な送信技術は，データを受信することができる人であれば誰でも一般に利用可能である。
【０００７】
上記に鑑み，複数のユーザ間における音声サウンドの無線共有のためのシステム及び方法が開示される。本発明のユーザは，自身の音声サウンドを他のユーザに伝送することができ，他のユーザは，同じ発明を用いて音声サウンドを受信することができる。こうして，音声サウンド共有ネットワークをいつでもどこでも容易に構築することができる。本発明の潜在的利点として，ユーザが音楽を無線で及びステレオで共有するのを可能にすること，さらに，音声ソースファイルの転送による第三者の知的財産権の潜在的侵害を回避すること，が挙げられる。
【発明の概要】
【０００８】
ネットワーク内の他の装置への無線ステレオ通信を特徴とするデジタルオーディオプレーヤーが提示される。装置又は装置のシステムは，（ａ）組み込みの送受信機（例えば，携帯用コンピュータ装置やデジタルメディアプレーヤーに組み込まれる無線送受信機）を有すること，（ｂ）送受信を実行するのに使用される中継装置を有すること（例えば，「ドングル（dongle）」送受信機や送受信ステーションなど），（ｃ）ヘッドホン（ワイヤー又はワイヤレス）に組み込まれる送受信を実行するのに使用される中継装置を有すること，又は（ｄ）送受信を実行する同様の装置を使用すること，により音声サウンドを無線で（無線技術，ブルートゥース技術や赤外線技術などによって）送受信する部品を組み込む。音声信号は，選択的に他のユーザに再ブロードキャストすることができる。
【０００９】
本発明の第１の側面に従って，可聴体験（audible experience）を共有するためのシステムが開示される。該システムは，複数のスピーカー，及び無線送受信機を含む第１のヘッドホンを有する。該システムは，さらに，該無線送受信機のための第１の制御システムを含み，該第１の制御システムは，第１の符号化音声信号の，第２の無線送受信機，及び該第１の音声信号に対応した音声再生を生成するように構成される第２の制御システムを含む第２のヘッドホンへの送信を制御するように構成され，これにより，該第１のヘッドホン及び該第２のヘッドホンは，クローズドネットワークの一部となる。
【００１０】
本発明の第２の側面に従って，第１の再生システムを含む音声共有ネットワークが開示される。該第１の再生システムは，第１の無線送受信機，及び専用音声信号の受信，送信，及び再生を制御するように構成される該無線送受信機のための第１の制御システムを有する。該音声共有ネットワークは，さらに，第２の再生システムを有する。該第２の再生システムは，第２の無線送受信機，及び該専用音声信号の受信，送信，及び再生を制御するように構成される該無線送受信機のための第２の制御システムを有する。
【００１１】
本発明の第３の側面に従って，制御装置及び送受信機を含む装置周辺装置が開示される。該送受信機は，信号動作を実行するための該制御装置により制御可能であり，該信号動作は，受信信号の受信，送信信号の送信，及び受信信号の受信と送信信号の送信の同時実行の一つである。該装置周辺装置は，さらに，該制御装置を装置と通信させるための該装置に連結可能な装置インタフェースを含み，ここで，該制御装置は，該装置インタフェースを介して通信動作を実行するためのものであり，該通信動作は，第１のメディアデータの該装置への送信，第２のメディアデータの該装置からの受信，及び該第１のメディアデータの該装置からの受信と該第２のメディアデータの該装置への送信の同時実行の一つである。特に，該制御装置は，該信号動作及び該通信動作の同時実行及び個別実行の一つを実行可能であり，該受信信号は，第３のメディアデータ及び該第１のメディアデータの一つを伝送し，また，それらに変換可能であり，該送信信号は，該第１のメディアデータ，該第２のメディアデータ，該第３のメディアデータ，及び第４のメディアデータの一つを伝送し，また，それらから変換される。
【００１２】
本発明の第４の側面に従って，制御装置及び送受信機を含む装置が開示される。該送受信機は，信号動作を実行するための該制御装置により制御可能であり，該信号動作は，受信信号の受信，送信信号の送信，及び受信信号の受信と送信信号の送信の同時実行の一つである。該装置は，さらに，再生モジュール，及び該制御装置を該再生モジュールと通信させるためのデータインタフェースを含み，ここで，該制御装置は，該データインタフェースを介して通信動作を実行するためのものであり，該通信動作は，第１のメディアデータの少なくとも一つの他の装置への送信，第２のメディアデータの該少なくとも一つの他の装置からの受信，及び第１のメディアデータの該装置からの受信と第２のメディアデータの該装置への送信の同時実行の一つであり，該再生モジュールは，該第１のメディアデータ及び該第２のメディアデータの１つの再生を実行可能である。特に，該制御装置は，該信号動作及び該通信動作の同時実行及び個別実行の一つを実行可能であり，該受信信号は，第３のメディアデータ及び該第１のメディアデータの一つを伝送し，また，それらに変換可能であり，該送信信号は，該第１のメディアデータ，該第２のメディアデータ，該第３のメディアデータ，及び第４のメディアデータの一つを伝送し，また，それらから変換される。
【図面の簡単な説明】
【００１３】
本発明の上記及び他の利点は，以下の詳細な説明を読むことにより，また，図面を参照することにより，明らかになるであろう。
【００１４】
【図１】図１は，本発明の一側面に従った，一人の人が音声を共有しているのを示す概略図である。
【００１５】
【図２】図２は，本発明の一側面に従った，複数の人が単一の発信源からの音声を共有しているのを示す概略図である。
【００１６】
【図３】図３は，複数の再ブロードキャストが発生している，本発明の他の実施形態を示す。
【図４】図４は，複数の再ブロードキャストが発生している，本発明の他の実施形態を示す。
【００１７】
【図５】図５は，複数のブロードキャストが発生し，異なる音声信号がさまざまな装置間で伝達されうる，本発明の他の実施形態を示す。
【００１８】
本発明は，種々の改良を行い，また，他の形態で実施することができるが，特定の実施形態が一例として図面に示され，本明細書に詳細に記載される。しかしながら，当然のことながら，本発明は開示された特定の形態に限定されるものではない。むしろ，本発明は，添付の特許請求の範囲によって定義される本発明の精神及び範囲内に含まれるすべての改良，均等物，及び代替物を網羅するものである。
【発明を実施するための形態】
【００１９】
上記のとおり，本発明の各実施形態は，複数のユーザ間において音声体験を無線で共有するシステム及び方法を提供する。該システムは，複数の装置を含み，これらの装置のいずれかは，一つ以上の他の装置へ送信することができる。これは，装置の一人以上のユーザが該送信装置から適切な音声サウンドを受信することを可能にし，これにより，音声サウンド共有ネットワークを構築する。また，該受信装置のいずれかのユーザもまた，自身の装置を送信するように設定することを選択することもできるし，一方，該送信装置の前記ユーザもまた，自身の装置を受信するように設定することを選択することもできる。
【００２０】
専用・ブロードキャスト使用
図１に示すように，装置１のユーザは，装置１からの専用信号を他の装置２へ送信することのみを選択することができ，この場合，装置２は，装置１の唯一の受信装置となる。装置２は，装置１からの該信号を復号し，装置２のユーザに適切な／所望の音声サウンドを提供する。本明細書において，「専用」の語は，クローズドネットワークを参照するのに用いられ，これは，そのネットワークのユーザのみが符号化及び／又は復号化技術を容易に用いて該伝達信号にアクセスすることができるというものである。「クローズドネットワーク」は，他の標準ベースのネットワークと直接には相互運用ができない，又は，標準ベースのネットワーク上に追加の符号化層を追加する，専有技術を利用したネットワークを参照しうる。「クローズドネットワーク」はまた，認証された又は許可された装置によってのみ利用可能なプライベートネットワークをも含み，例えば，第三者の使用は，暗号手段によって禁止され，有効にされる。クローズドネットワークは，このように，ブルートゥースが使用可能な装置であればどのような装置でも（専有の符号化又は暗号化がない場合）信号を受信及び処理することができるブルートゥースなどのオープンネットワークとは異なる。
【００２１】
次に，図２を参照すると，装置１のユーザは，装置１をブロードキャストするように設定することを選択することができる。こうして，装置１の送信の範囲内にいる使用可能な第三者は，例えば，装置３その他の潜在的な装置のユーザは，各自の装置を装置１から，又は装置１が送信するように設定されているチャネル上で受信するように設定することを選択することができる。装置３その他の装置は，こうして，装置１からの信号を復号し，装置３その他の装置のユーザに適切な／所望の音声サウンドを提供することができる。
【００２２】
図３に示すように，装置１のユーザはまた，装置１を他のユーザが所有する他の送信装置（例えば，装置４）から受信するように設定することを選択することもできる。
【００２３】
再ブロードキャスト
本発明のシステム及び方法はまた，再ブロードキャストにおいても使用することができる。例えば，図４に示すように，ユーザが装置１１をブロードキャストに設定しつつ，該音声サウンドを受信している装置１２のユーザは，装置１２を装置１１からの該音声サウンドを受信し，同時に同じ音声サウンドを他のユーザの装置（例えば，装置１３，１４など）に再ブロードキャストするように設定することを選択することができる。再ブロードキャストは，信号の符号化の前又は後に行うことができ，後者の場合，該信号は，再送信前に符号化される。該符号化は，元の符号化と同じ場合もあれば，利用態様によって異なる場合もある。
【００２４】
このようにして，再ブロードキャストは，装置１１の範囲外にいるが装置１２の再ブロードキャストの範囲内にいる装置１３のユーザが，装置１２を介して装置１１から適切な音声信号を受信するのを可能にする。
【００２５】
同様に，装置１３のユーザが装置１３を再ブロードキャストするように設定することを選択する場合，装置１１のブロードキャスト及び装置１２の再ブロードキャストの範囲外にいる装置１４のユーザは，装置１４を装置１２及び１３を介して装置１４から適切な音声信号を受信するように設定することを選択することができる。
【００２６】
上記の利用態様すべてについて，装置１２，１３及び１４のユーザはまた，各自の装置を再ブロードキャストされている適切な音声信号を受信するように設定することもできる。
【００２７】
図５は，異なる音声サウンドの同時受信及び送信／ブロードキャストでの使用を可能にする本発明の他の実施形態を図示する。図５に示すように，装置２１のユーザは，装置２１をある音声信号２５を送信又はブロードキャストするように設定する。
【００２８】
装置２２のユーザは，自身の装置を装置２１からＡＳ１の送信／ブロードキャストを受信するように設定することができる。装置２２のユーザは，同時に，装置２２を，装置２３，２４などのユーザが各自の装置を装置２２のユーザのチャネル上の音声サウンド２６の送信又はブロードキャストを受信するように設定している場合，該ユーザが受信可能で異なるチャネル上の異なる音声サウンド２６を送信又はブロードキャストするように設定することを選択することができる。
【００２９】
本発明はまた，マルチチャネル送信又はブロードキャスト（同時又は個別）における使用を可能にする。複数のユーザが限られた範囲で送信することで，専用チャネルにおける無線送信の実行が可能となり，ユーザは以下のいずれかにより受信するよう選択することができる：
i．ハンティング及び／又は周波数ホッピングを介して自動的に；又は
ii．以下に示される特定の周波数に合わせることにより手動で：
ａ．数字（例えば，チャネル１，チャネル２など）で示されるディスクリートチャネル；
ｂ．色（例えば，赤，緑，青など）で示されるディスクリートチャネル；又は
ｃ．当業者に知られた方法と合致した他の方法
【００３０】
装置の動作モード（送信，ブロードキャスト，再ブロードキャスト，又は受信）を確認するために，装置のユーザは，自身の装置にキューを設定するか，又は第三者の装置に第三者が装置の動作モードを確認するのを可能にすべく表示される／受信されるキューを設定することを選択することができる。該キューは，以下のようなさまざまな形態又は形態の組み合わせをとりうる。
ａ．該装置のさまざまな動作モードを示すテキスト，カラーインジケータ，又は光などの視覚キュー；及び
ｂ．該装置が動作しているさまざまなモードを示す音声キュー（該音声は，可聴式のものか，該装置を用いたものであればよい）
（例えば，装置２１をブロードキャストするように設定する。装置２１は，他の装置（装置２２，２３など）のユーザが見ることができる青色光を発し，装置２２，２３などを装置２１のブロードキャストを受信するように設定することを選択する。）
【００３１】
上述の議論は，主に音楽その他の音声の共有に焦点を合わせている。しかしながら，他の利用態様もまた有用であることが理解される。例えば，該利用態様は，多数のプレーヤーが同様の音声体験を共有することが望ましいゲーム環境で使用することができる。例えば，該メンバー全員が，仮想環境において通信チャネルを共有しうる。また，本発明は，教育訓練の分野において有利に利用可能である。
【００３２】
以上，本発明について一つ以上の特定の実施形態を参照して記載してきたが，当業者は，本発明の精神及び範囲から逸脱することなく種々の変更が可能であることを認識するであろう。これら各実施形態及びその明らかな変形は，以下の特許請求の範囲に記載されている本発明の精神及び範囲内にあるものと考えられる。
【図１】
2010517364.tif 000003
【図２】
2010517364.tif 000004
【図３】
2010517364.tif 000005
【図４】
2010517364.tif 000006
【図５】
2010517364.tif 000007
【手続補正書】
【提出日】平成21年8月18日(2009.8.18)
【手続補正１】
【補正対象書類名】特許請求の範囲
【補正対象項目名】請求項３
【補正方法】変更
【補正の内容】
【請求項３】
前記ユーザインタフェースは，前記第１のヘッドホンから受信した前記第１の音声信号を再生することを選択する設定を含む，請求項２に記載のシステム。
【手続補正２】
【補正対象書類名】特許請求の範囲
【補正対象項目名】請求項１９
【補正方法】変更
【補正の内容】
【請求項１９】
前記第２の制御システムは，前記専用音声信号を復号するように構成される，請求項１７に記載のネットワーク。
【国際調査報告】
2010517364.tif 000008
2010517364.tif 000009